(57)【特許請求の範囲】
【請求項１】
回転制御装置に連結してあるクレンチワーカ主軸にセットしてあるワイヤーロープを巻いたドラムと、
このワイヤーロープを巻き取るウインチ等との間に、巻き入れ側の回動しない側板に螺旋誘導体を有する制御ドラムを配置し、
この制御ドラムの胴にワイヤーロープを整列状態で数回巻回させると共にこの制御ドラムの胴の回転を制御する制御手段を設け、
前記ワイヤーロープを巻いた制御ドラムからのワイヤーロープにかかる引張力を前記制御ドラムからのワイヤーロープにかかる引張力より小さくなるように前記クレンチワーカ主軸の回転と前記制御ドラムの胴の回転を制御し、
前記螺旋誘導体を、巻き入れ側の先端から螺旋状に後端まで順次肉厚を厚くして胴の周囲をほぼ一周するように側板内側面に取付け、その先端と後端との間によって巻き入れ口を形成したことを特徴とするワイヤーロープ繰り出し装置。
【発明の詳細な説明】
【０００１】
【産業上の利用分野】
本発明は、クレーンのウインチ等に新しいワイヤーロープを繰り出す装置に関する。
【０００２】
【従来の技術】
クレーンのウインチに新しいワイヤーロープを巻き替えるに際して、新しいワイヤーロープは、木製のドラムに巻かれており、そのワイヤーロープの端部をクレーンのドラムにセットしてクレーンウインチの回転力によって巻き取るものであるが、その際、ワイヤーロープに負荷張力を与えてクレーンのウインチにきっちりと詰めた状態で順序よくかたく巻き取ることが要求される。そのためには例えば、直径３０ｍｍのような太径のワイヤーロープではその負荷張力は１０ｔ以上が要求される。
【０００３】
このような大きな負荷を与えるために、クレンチワーカ主軸にセットした木製のドラムの回転を制動させてワイヤーロープを引き出している。
【０００４】
【発明が解決しようとする課題】
このような従来技術によると、引き出されるワイヤーロープに大きな負荷がかかることになり、そのために大きな制動力で木製のドラムの回転を制御するものであるが、その負荷張力により、木製のドラムに数段の重層に巻いてあるワイヤーロープの下の層に引き出されるワイヤーロープが割り込んで入り込み、乱巻き状態となってしまい、ワイヤーロープに傷を付ける問題が生じ、ひどい場合には強固に割り込んでしまって巻き出し不能となる問題がある。
【０００５】
また、ウインチに十分な引張力で巻き取ることができないために、ウインチにしっかりと巻き取れずにずるずるの状態で巻き取られることになってしまうという問題がある。
【０００６】
【課題を解決するための手段】
そこで本発明は、回転制御装置に連結してあるクレンチワーカ主軸にセットしてあるワイヤーロープを巻いたドラムと、このワイヤーロープを巻き取るウインチ等との間に、巻き入れ側の回動しない側板に螺旋誘導体を有する制御ドラムを配置し、この制御ドラムの胴にワイヤーロープを整列状態で数回巻回させると共にこの制御ドラムの胴の回転を制御する制御手段を設け、前記ワイヤーロープを巻いた制御ドラムからのワイヤーロープにかかる引張力を前記制御ドラムからのワイヤーロープにかかる引張力より小さくなるように前記クレンチワーカ主軸の回転と前記制御ドラムの胴の回転を制御し、前記螺旋誘導体を、巻き入れ側の先端から螺旋状に後端まで順次肉厚を厚くして胴の周囲をほぼ一周するように側板内側面に取付け、その先端と後端との間によって巻き入れ口を形成したことを特徴とする。
【０００７】
【作用】
以上の構成によると、制御ドラムの胴に制動を与えることにより、胴とワイヤーロープとの間の摩擦が増大すると共に巻き入れ側の側板の内側面に取り付けた螺旋誘導体により胴に巻き入れられるワイヤーロープは順次確実に整列状態で巻き取られて、これによって数回巻回させたワイヤーロープはウインチの引張力が作用すると、巻回させた互いに隣接するワイヤーロープ同志が強固に接触すると共に胴に強く巻き付いて制動作用が働くことになり、この状態で順次繰り出されるワイヤーロープはウインチにしっかりと巻き取られることになる。
【０００８】
【実施例】
以下に本発明の一実施例を図面を用いて説明する。
図１は全体説明図、図２は制御ドラムの斜視図、図３は拡大正面図、図４は側面図、図５は螺旋誘導体を示す側板の説明図であり、図において、１は木製のドラムであり、クレンチワーカ主軸２にセットしてある。このクレンチワーカ主軸２は図示しない回転制御装置に連結してある。
【０００９】
３はこの木製のドラム１に巻かれているワイヤーロープ、４は木製のドラム１から繰り出されるワイヤーロープ３を案内するロープガイドである。
５は金属製の制御ドラムであり、巻き入れ側の回動しない側板１０を貫いて設けた軸７によって回転が制御され、この軸７には図示しない上記と異なる回転制御装置が連結してある。この制御ドラム５の巻き入れ側の側板１０内側面に、巻き入れ側から順次肉厚を厚くして螺旋状に胴６の周囲をほぼ一周する先端と後端との間によって巻き入れ口８を形成した螺旋誘導体９を取り付ける。この螺旋誘導体９によって案内されたワイヤーロープ３は、胴６に順次並んだ整列状態で数回巻回されて先端を図示しないクレーンのウインチにセットする。
【００１０】
このようにセットされたワイヤーロープ３をクレーンのウインチに巻き取るものであるが、その際、木製のドラム１および制御ドラム５を制動させ、しかも木製のドラム１からのワイヤーロープ３にかかる引張力Ａの方が制御ドラム５からのワイヤーロープ３にかかる引張力Ｂより小さく、ウインチの引張力を制御ドラム５が受けてウインチの引張力が木製のドラム１に直接伝わらないようにしてある。
【００１１】
これは、制御ドラム５の胴６に、図示しないブレーキ手段、例えばブレーキシューをバンドブレーキによって制動したりディスクをブレーキパッドによって制動するような一般的なブレーキ手段によって適正な制動を与えることにより、胴６と繰り出されるワイヤーロープ３との間の摩擦が増大すると共に整列状態で数回巻回させたワイヤーロープ３はウインチの引張力が作用すると、胴に強く巻き付くと共に互いに隣接するワイヤーロープ３同志が強固に接触して制動作用が働くことになる。
【００１２】
したがって、制御ドラム５によるワイヤーロープ３の制動作用は、胴６の制動能力は無論のこと胴６に対する巻回数も制動作用の大きな要因となる。
これによって、ウインチの引張力は制御ドラム５によって制御され、強力な引張力は制御ドラム５より後方のワイヤーロープ３にはかからないことになり、ワイヤーロープ３が木製のドラム１の重層に巻いてある下の層に割り込むようなことがなくなる。
【００１３】
なお、巻き入れ側と反対側の側板１１は、巻き入れ側の側板１０と同様に回動しない状態でもよく、また胴６と一体に回動する状態でもよい。
さらに、制御ドラム５はワイヤーロープ３の制動作動中にその摩擦抵抗によって高温になることがある。そのために制御ドラム５内に冷却媒体を入れておくとよく、これによって加熱による制動力の低下を防ぐことができる。また、制御ドラムの図示しないブレーキ手段においても加熱による制動力低下がおきる場合が考えられ、この場合も必要に応じて冷却手段を設ければよく、ブレーキシューがある場合にはブレーキシュー内に冷却媒体を入れておくとよい。
【００１４】
なお、上記の説明はクレーンのウインチにワイヤーロープを巻き取る場合で説明を行ったが、必ずしもクレーンのウインチに限るものではなく、ワイヤーロープをその巻いてあるドラムから巻き戻して巻き取る場合のどのようなものにも常に有効である。
【００１５】
【発明の効果】
以上詳細に説明をした本発明によると、ワイヤーロープが巻いてあるドラムと、このワイヤーロープを巻き取るウインチとの間に、巻き入れ側の回動しない側板に螺旋誘導体を有する制御ドラムを配置し、この制御ドラムの胴にワイヤーロープを整列状態で数回巻回させると共にこの制御ドラムの回転を制御させることにより、ウインチの張力を制御ドラムで受けてワイヤーロープが巻いてあるドラム側にウインチの引張力が直接伝わらないことになり、そのためにワイヤーロープが巻いてあるドラムの下の層に食い込むようなこことがなく、さらにドラムのワイヤーロープが乱巻きになったりすることがなくなる効果を有する。
【００１６】
また、側板に取り付けた螺旋誘導体によって胴に巻き取られるワイヤーロープは確実に整列状態が得られて巻かれることになる効果を有する。
さらに、ウインチが十分な引張力でワイヤーロープを巻き取ることができることになるためにウインチにワイヤーロープをかたくしっかり巻き取ることができる効果を有する。
【図面の簡単な説明】
【図１】実施例を示す全体説明図
【図２】制御ドラムの斜視図
【図３】同拡大正面図
【図４】同側面図
【図５】螺旋誘導体を示す側板の説明図
【符号の説明】
１  木製のドラム
３  ワイヤーロープ
５  制御ドラム
６  胴
９  螺旋誘導体
１０  側板
【図１】
0003631519.tif 000002
【図２】
0003631519.tif 000003
【図３】
0003631519.tif 000004
【図４】
0003631519.tif 000005
【図５】
0003631519.tif 000006